(57)【要約】      （修正有）【課題】良好な光学性能を維持しつつ、全長を短縮した撮像レンズを提供する。【解決手段】撮像レンズ１０は、物体側から像側へ順に、開口絞り２と、第１のレンズ素子３と、第２のレンズ素子４と、第３のレンズ素子５と、第４のレンズ素子６と、第５のレンズ素子７と、光学フィルタ９とを備え、第１のレンズ素子は、光軸近傍に凸部をなす像側の面を有し、第２のレンズ素子は、周縁部近傍に凹部をなす像側の面を有し、第３のレンズ素子は、周縁部近傍に凹部をなす物体側の面を有し、第４のレンズ素子は、負の屈折力を有するとともに光軸近傍に凸部をなす物体側の面を有し、第５のレンズ素子は、周縁部近傍に凸部をなす物体側の面を有し、第２のレンズ素子の厚さＴ２と、第４のレンズ素子のＴ４と、第４のレンズ素子と第５のレンズ素子との間の空隙長Ｇ４５とが、（Ｔ２＋Ｔ４）／Ｇ４５≦２．９を満たしている。【選択図】図６
2016148838.tif 000002
【特許請求の範囲】
【請求項１】
開口絞りと、各々が屈折力を有するとともに物体側に向いた物体側の面と像側に向いた像側の面とを有する、第１のレンズ素子と、第２のレンズ素子と、第３のレンズ素子と、第４のレンズ素子と、第５のレンズ素子と、を当該順序で当該開口絞りおよび当該第１乃至第５のレンズ素子の光軸に沿って物体側から像側へ亘って備え、屈折力を有するレンズ素子が当該第１乃至第５のレンズ素子のみである撮像レンズであって、
前記第１のレンズ素子は、前記光軸近傍に凸部をなす前記像側の面を有し、
前記第２のレンズ素子は、周縁部近傍に凹部をなす前記像側の面を有し、
前記第３のレンズ素子は、周縁部近傍に凹部をなす前記物体側の面を有し、
前記第４のレンズ素子は、負の屈折力を有するとともに前記光軸近傍に凸部をなす前記物体側の面を有し、
前記第５のレンズ素子は、周縁部近傍に凸部をなす前記物体側の面を有し、
前記第２のレンズ素子の前記光軸に沿った厚さを示すＴ２と、前記第４のレンズ素子の前記光軸に沿った厚さを示すＴ４と、前記第４のレンズ素子と前記第５のレンズ素子との間の前記光軸に沿った空隙長を示すＧ４５とが、
（Ｔ２＋Ｔ４）／Ｇ４５≦２．９
を満たしていることを特徴とする撮像レンズ。
【請求項２】
当該撮像レンズの系の有効焦点距離を示すＥＦＬと、前記第１のレンズ素子の前記光軸に沿った厚さを示すＴ１とが、
ＥＦＬ／Ｔ１≦５．７
を満たしていることを特徴とする請求項１に記載の撮像レンズ。
【請求項３】
前記第１乃至第５のレンズ素子の前記光軸に沿った厚さの総和を示すＡＬＴと、前記第２のレンズ素子と前記第３のレンズ素子との間の前記光軸に沿った空隙長を示すＧ２３とは、
ＡＬＴ／Ｇ２３≧４．２を満たしていることを特徴とする請求項２に記載の撮像レンズ。
【請求項４】
前記第１乃至第５のレンズ素子の間の前記光軸に沿った４つの空隙長の総和を示すＧａａと、前記Ｔ４とは、
Ｇａａ／Ｔ４≦４．５を満たしていることを特徴とする請求項１に記載の撮像レンズ。
【請求項５】
前記第２のレンズ素子と前記第３のレンズ素子との間の前記光軸に沿った空隙長を示すＧ２３と、前記第１のレンズ素子の前記光軸に沿った厚さを示すＴ１と、前記第３のレンズ素子の前記光軸に沿った厚さを示すＴ３とは、
（Ｔ１＋Ｔ３）／Ｇ２３≧２．４を満たしていることを特徴とする請求項４に記載の撮像レンズ。
【請求項６】
前記第５のレンズ素子の像側の面と像面との間の前記光軸に沿った距離を示すＢＦＬと、前記第３のレンズ素子の前記光軸に沿った厚さを示すＴ３とは、
ＢＦＬ／Ｔ３≦１．４を満たしていることを特徴とする請求項１に記載の撮像レンズ。
【請求項７】
前記第１乃至第５のレンズ素子の前記光軸に沿った厚さの総和を示すＡＬＴと、前記第１のレンズ素子の前記光軸に沿った厚さを示すＴ１とは、
ＡＬＴ／Ｔ１≦４を満たしていることを特徴とする請求項６に記載の撮像レンズ。
【請求項８】
前記第５のレンズ素子は、前記光軸近傍に凹部をなす前記物体側の面を有することを特徴とする請求項１に記載の撮像レンズ。
【請求項９】
前記第３のレンズ素子の前記光軸に沿った厚さを示すＴ３と、前記第１のレンズ素子と前記第２のレンズ素子との間の前記光軸に沿った空隙長を示すＧ１２と、前記Ｇ４５とは、
Ｔ３／（Ｇ１２＋Ｇ４５）≧１．６５を満たしていることを特徴とする請求項８に記載の撮像レンズ。
【請求項１０】
前記第３のレンズ素子の前記光軸に沿った厚さを示すＴ３と、前記第２のレンズ素子と前記第３のレンズ素子との間の前記光軸に沿った空隙長を示すＧ２３と、前記Ｇ４５とは、
（Ｇ２３＋Ｇ４５）／Ｔ３≦１．６をさらに満たしている、請求項８に記載の撮像レンズ。
【発明の詳細な説明】
【技術分野】
【０００１】
本開示は、撮像レンズならびにそれを備えた電子機器に関するものである。
【背景技術】
【０００２】
近年、携帯型電子機器（例えば、携帯電話機およびデジタルカメラ）の普及に伴って、携帯型電子機器の大きさを縮小することに多くの力が注がれている。また、電荷結合素子（ＣＣＤ）および相補型金属酸化膜半導体（ＣＭＯＳ）による光学センサの大きさが縮小されると、それに応じて、光学センサと共に用いる撮像レンズの寸法が、光学性能を著しく損なうことなく、縮小されなければならない。撮像品質およびサイズは、撮像レンズの最も重要な特性のうちの２つである。
【０００３】
しかしながら、光学レンズ設計において、そのような撮像レンズの小型化を、撮像品質を維持しつつ可能とするためには、撮像レンズのサイズを案分に縮小するのでは不十分である。設計プロセスでは、そのような撮像レンズの材料特性および組立歩留まりも考慮されなければならない。
【発明の概要】
【発明が解決しようとする課題】
【０００４】
このため、小型化された撮像レンズの場合は、従来の撮像レンズの場合よりも、大きな技術的困難に直面する。十分な光学性能を有しつつ、民生用電子製品の要求を満たす撮像レンズを製造することは、常に当業界の目標である。
【課題を解決するための手段】
【０００５】
本開示の目的は、良好な光学性能を維持しつつ、全長を短縮した撮像レンズを提供することである。
【０００６】
本開示の一態様によれば、撮像レンズは、該撮像レンズの光軸に沿って物体側から像側へ順に配置される、開口絞りと、第１のレンズ素子と、第２のレンズ素子と、第３のレンズ素子と、第４のレンズ素子と、第５のレンズ素子と、を備える。第１のレンズ素子、第２のレンズ素子、第３のレンズ素子、第４のレンズ素子、第５のレンズ素子の各々は、物体側に向いた物体側の面と、像側に向いた像側の面とを有する。
【０００７】
第１のレンズ素子の像側の面は、光軸近傍に凸部を有する。
【０００８】
第２のレンズ素子の像側の面は、該第２のレンズ素子の周縁部近傍に凹部を有する。
【０００９】
第３のレンズ素子の物体側の面は、該第３のレンズ素子の周縁部近傍に凹部を有する。
【００１０】
第４のレンズ素子は、負の屈折力を有し、第４のレンズ素子の物体側の面は、光軸近傍に凸部を有する。
【００１１】
第５のレンズ素子の物体側の面は、該第５のレンズ素子の周縁部近傍に凸部を有する。
【００１２】
撮像レンズは、第１のレンズ素子、第２のレンズ素子、第３のレンズ素子、第４のレンズ素子、第５のレンズ素子の他には、屈折力を有するレンズ素子を備えていない。
【００１３】
Ｔ２は光軸における第２のレンズ素子の厚さを表し、Ｔ４は光軸における第４のレンズ素子の厚さを表し、Ｇ４５は第４のレンズ素子と第５のレンズ素子との間の光軸における空隙長を表すとして、撮像レンズは、（Ｔ２＋Ｔ４）／Ｇ４５≦２．９を満たしている。
【００１４】
本開示の別の目的は、５つのレンズ素子を有する撮像レンズを備えた電子機器を提供することである。
【００１５】
本開示の別の態様によれば、電子機器は、ハウジングと撮像モジュールとを備える。撮像モジュールは、ハウジング内に配置されており、本開示の撮像レンズと、撮像レンズが配置される鏡筒と、鏡筒が配置されるホルダユニットと、撮像レンズの像側に配置される撮像センサと、を有する。
【００１６】
本開示の他の特徴ならびに効果は、添付の図面を参照した以下の実施形態の詳細な説明において明らかになるであろう。
【図面の簡単な説明】
【００１７】
【図１】レンズ素子の表面形状および構造を示す模式図である。
【図２】レンズ素子の凹部および凸部ならびに焦点を示す模式図である。
【図３】第１の例示的なレンズ素子の表面形状および構造を示す模式図である。
【図４】第２の例示的なレンズ素子の表面形状および構造を示す模式図である。
【図５】第３の例示的なレンズ素子の表面形状および構造を示す模式図である。
【図６】本開示に係る撮像レンズの第１の実施形態を示す模式図である。
【図７】第１の実施形態の撮像レンズに対応するいくつかの光学データの値を示している。
【図８】第１の実施形態の撮像レンズに対応するいくつかの非球面係数の値を示している。
【図９】（Ａ）〜（Ｄ）は、第１の実施形態の撮像レンズの様々な光学特性を示している。
【図１０】本開示に係る撮像レンズの第２の実施形態を示す模式図である。
【図１１】第２の実施形態の撮像レンズに対応するいくつかの光学データの値を示している。
【図１２】第２の実施形態の撮像レンズに対応するいくつかの非球面係数の値を示している。
【図１３】（Ａ）〜（Ｄ）は、第２の実施形態の撮像レンズの様々な光学特性を示している。
【図１４】本開示に係る撮像レンズの第３の実施形態を示す模式図である。
【図１５】第３の実施形態の撮像レンズに対応するいくつかの光学データの値を示している。
【図１６】第３の実施形態の撮像レンズに対応するいくつかの非球面係数の値を示している。
【図１７】（Ａ）〜（Ｄ）は、第３の実施形態の撮像レンズの様々な光学特性を示している。
【図１８】本開示に係る撮像レンズの第４の実施形態を示す模式図である。
【図１９】第４の実施形態の撮像レンズに対応するいくつかの光学データの値を示している。
【図２０】第４の実施形態の撮像レンズに対応するいくつかの非球面係数の値を示している。
【図２１】（Ａ）〜（Ｄ）は、第４の実施形態の撮像レンズの様々な光学特性を示している。
【図２２】本開示に係る撮像レンズの第５の実施形態を示す模式図である。
【図２３】第５の実施形態の撮像レンズに対応するいくつかの光学データの値を示している。
【図２４】第５の実施形態の撮像レンズに対応するいくつかの非球面係数の値を示している。
【図２５】（Ａ）〜（Ｄ）は、第５の実施形態の撮像レンズの様々な光学特性を示している。
【図２６】本開示に係る撮像レンズの第６の実施形態を示す模式図である。
【図２７】第６の実施形態の撮像レンズに対応するいくつかの光学データの値を示している。
【図２８】第６の実施形態の撮像レンズに対応するいくつかの非球面係数の値を示している。
【図２９】（Ａ）〜（Ｄ）は、第６の実施形態の撮像レンズの様々な光学特性を示している。
【図３０】本開示に係る撮像レンズの第７の実施形態を示す模式図である。
【図３１】第７の実施形態の撮像レンズに対応するいくつかの光学データの値を示している。
【図３２】第７の実施形態の撮像レンズに対応するいくつかの非球面係数の値を示している。
【図３３】（Ａ）〜（Ｄ）は、第７の実施形態の撮像レンズの様々な光学特性を示している。
【図３４】本開示に係る撮像レンズの第８の実施形態を示す模式図である。
【図３５】第８の実施形態の撮像レンズに対応するいくつかの光学データの値を示している。
【図３６】第８の実施形態の撮像レンズに対応するいくつかの非球面係数の値を示している。
【図３７】（Ａ）〜（Ｄ）は、第８の実施形態の撮像レンズの様々な光学特性を示している。
【図３８】本開示に係る撮像レンズの第９の実施形態を示す模式図である。
【図３９】第９の実施形態の撮像レンズに対応するいくつかの光学データの値を示している。
【図４０】第９の実施形態の撮像レンズに対応するいくつかの非球面係数の値を示している。
【図４１】（Ａ）〜（Ｄ）は、第９の実施形態の撮像レンズの様々な光学特性を示している。
【図４２】本開示に係る撮像レンズの第１０の実施形態を示す模式図である。
【図４３】第１０の実施形態の撮像レンズに対応するいくつかの光学データの値を示している。
【図４４】第１０の実施形態の撮像レンズに対応するいくつかの非球面係数の値を示している。
【図４５】（Ａ）〜（Ｄ）は、第１０の実施形態の撮像レンズの様々な光学特性を示している。
【図４６】第１〜第１０の実施形態の撮像レンズに対応するいくつかのレンズパラメータ間の関係の値を示す表である。
【図４７】図４６の表の続きを示す表である。
【図４８】本開示の撮像レンズの第１の適用例を示す部分断面模式図である。
【図４９】本開示の撮像レンズの第２の適用例を示す部分断面模式図である。
【発明を実施するための形態】
【００１８】
本開示をさらに詳細に記載するに当たり、留意されるべきことは、類似の要素は、本開示全体を通して同一の参照符号で示しているということである。
【００１９】
本明細書において、「レンズ素子が、正の屈折力（または負の屈折力）を有する」という表現は、ガウス光学におけるレンズ素子の近軸屈折力が正（または負）であることを意味する。「レンズ素子の物体側（または像側）の面」という表現には、レンズ素子の当該面のうち、撮像光が通過可能な特定の領域、すなわちその面のクリアアパーチャのみが含まれる。上記の撮像光は、主光線（Ｌｃ）と周辺光線（Ｌｍ）という２つのタイプに分けることができる。
図１に示すレンズ素子を例にとると、レンズ素子は、光軸（Ｉ）を対称軸として回転対称である。レンズ素子の領域（Ａ）は「光軸（Ｉ）近傍の部分」と定義され、レンズ素子の領域（Ｃ）は「レンズ素子の周縁部近傍の部分」と定義される。また、レンズ素子は、さらに、領域（Ｃ）から径方向外側に広がる拡張部（Ｅ）、すなわちレンズ素子のクリアアパーチャの外側の部分を有し得る。拡張部（Ｅ）は、通常、光学撮像レンズ系にレンズ素子を物理的に組み付けるために使用される。正常な状況では、撮像光は、拡張部（Ｅ）を通過せず、クリアアパーチャのみを通過する。上記拡張部（Ｅ）の構造および形状は、単なる技術的説明のための例にすぎず、レンズ素子の構造および形状は、これらの例に限定されない。なお、以下の実施形態で示されるレンズ素子面は、拡張部が一部省略されていることに留意すべきである。
【００２０】
本明細書で記載されるレンズ素子面の形状および部分を特定するために、以下の基準が与えられる。これらの基準は、主として、光軸（Ｉ）近傍の部分、レンズ素子面の周縁部近傍の部分、さらには多様な部分を有する他のタイプのレンズ素子面などを含む、種々の状況下で、部分の境界を定めるものである。
【００２１】
１．図１は、レンズ素子の径方向断面図である。上記のような部分の境界を定めるに当たり、まず２つの基準点である中心点と遷移点を定義すべきである。
レンズ素子面の中心点は、その面と光軸（Ｉ）との交点である。遷移点は、その点の接線が光軸（Ｉ）に対して垂直であるレンズ素子面上の点である。また、１つの面に複数の遷移点が認められる場合には、それらの遷移点は、その面の径方向に沿って順に、第１の遷移点から始まる番号で名前が付けられる。例えば、それらの遷移点は、第１の遷移点（光軸（Ｉ）に最も近いもの）、第２の遷移点、  ．．．そして第Ｎの遷移点（その面のクリアアパーチャの範囲内で光軸（Ｉ）から最も遠いもの）、であり得る。
レンズ素子面の中心点と第１の遷移点との間の部分は、光軸（Ｉ）近傍の部分と定義される。第Ｎの遷移点の径方向外側に位置する（それでもクリアアパーチャの範囲内にある）部分は、レンズ素子の周縁部近傍の部分と定義される。いくつかの実施形態で、光軸（Ｉ）近傍の部分とレンズ素子の周縁部近傍の部分との間に他の部分が存在し、それらの部分の数は、遷移点の数に依存する。また、面のクリアアパーチャ径（すなわち、いわゆる有効半径）は、光軸（Ｉ）から周辺光線（Ｌｍ）とレンズ素子面との交点までの径方向距離と定義される。
【００２２】
２．図２を参照する。ある部分の形状が凸状であるか凹状であるかの判断は、当該部分を通過するコリメート光線が収束するか発散するかによる。すなわち、形状が特定されるべき部分にコリメート光線を当てたときに、その部分を通過したコリメート光線が曲がって、その光線自体またはその延長線が最終的に光軸（Ｉ）と交わることになる。当該部分の形状は、光線またはその延長線が光軸（Ｉ）に交わる（焦点を横切る）のは物体側であるか像側であるかによって決めることができる。例えば、ある部分を通過した後の光線自体がレンズ素子の像側で光軸（Ｉ）に交差する場合、すなわち、その光線の焦点が像側にある（図２の点Ｒを参照）場合、当該部分は凸形状を有するものと判断される。これに対し、ある部分を通過した後の光線が発散し、その光線の延長線がレンズ素子の物体側で光軸（Ｉ）に交差する場合、すなわち、その光線の焦点が物体側にある（図２の点（Ｍ）を参照）場合、当該部分は凹形状を有するものと判断される。
図２を参照する。中心点と第１の遷移点との間の部分は凸形状を有し、第１の遷移点の径方向外側に位置する部分は凹形状を有し、第１の遷移点は、凸形状を有する部分が凹形状を有する部分に変化する点、すなわち２つの隣接する部分の境界である。あるいは、レンズ面の（近軸）曲率半径である「Ｒ」値の符号を参照して、光軸近傍の部分が凸形状であるか凹形状であるかを当業者が見分ける別の一般的な方法がある。Ｒ値は、ＺｅｍａｘおよびＣｏｄｅＶ（登録商標）のような一般的な光学設計ソフトウェアで共通して使用されている。Ｒ値は、通常、ソフトウェアでレンズデータシートに呈示される。物体側の面については、正のＲは、物体側の面が凸状であることを意味し、負のＲは、物体側の面が凹状であることを意味する。逆に、像側の面については、正のＲは、像側の面が凹状であることを意味し、負のＲは、像側の面が凸状であることを意味する。この方法を用いて判明した結果は、コリメート光線の焦点が物体側にあるか像側にあるかを参照することにより表面形状を特定する上述の他の方法を用いることによる結果と、一致するはずである。
【００２３】
３．遷移点がないケースでは、光軸近傍の部分は、その面の有効半径（クリアアパーチャ径）の０〜５０％の間の部分と定義される一方、レンズ素子の周縁部近傍の部分は、その面の有効半径（クリアアパーチャ径）の５０〜１００％の間の部分と定義される。
【００２４】
図３に示す第１の例を参照する。レンズ素子の像側の面のクリアアパーチャ内に、１つのみの遷移点、すなわち第１の遷移点が認められる。部分（ｉ）は光軸近傍の部分であり、部分（ｉｉ）はレンズ素子の周縁部近傍の部分である。光軸（Ｉ）近傍の部分は、レンズ素子の像側の面のＲ値が正であることから、凹面を有するものと判断される。レンズ素子の周縁部近傍の部分の形状は、径方向内側に隣接する部分の形状とは異なり、すなわち、レンズ素子の周縁部近傍の部分の形状は、光軸（Ｉ）近傍の部分の形状とは異なり、レンズ素子の周縁部近傍の部分は凸形状を有する。
【００２５】
図４に示す第２の例を参照する。レンズ素子の物体側の面（クリアアパーチャ内）に、第１の遷移点および第２の遷移点が存在する。第２の例では、部分（ｉ）は光軸（Ｉ）近傍の部分であり、部分（ｉｉｉ）はレンズ素子の周縁部近傍の部分である。光軸（Ｉ）近傍の部分は、レンズ素子の物体側の面のＲ値が正であることから、凸形状を有する。レンズ素子の周縁部近傍の部分（部分ｉｉｉ）は、凸形状を有する。さらに、凹形状を有する他の部分が、第１と第２の遷移点の間（部分（ｉｉ））に存在する。
【００２６】
図５に示す第３の例を参照する。レンズ素子の物体側の面に存在する遷移点はない。この場合、有効半径（クリアアパーチャ径）の０〜５０％の間の部分が、光軸（Ｉ）近傍の部分と判断され、有効半径の５０〜１００％の間の部分が、レンズ素子の周縁部近傍の部分と判断される。レンズ素子の物体側の面の光軸（Ｉ）近傍の部分は、その正のＲ値から、凸形状を有するものと判断され、さらにレンズ素子の周縁部近傍の部分も、凸形状を有するものと判断される。
【００２７】
図６を参照する。本開示に係る撮像レンズ１０の第１の実施形態は、光軸（Ｉ）に沿って物体側から像側へ順に配置される、開口絞り２と、第１のレンズ素子３と、第２のレンズ素子４と、第３のレンズ素子５と、第４のレンズ素子６と、第５のレンズ素子７と、光学フィルタ９と、を備える。光学フィルタ９は、赤外光を選択的に吸収するための赤外線カットフィルタであり、これによって、像面１００に形成される像の欠陥を軽減する。より詳細には、物体側とは撮影対象物体の側を指し、像側とは像面１００の側を指す。
【００２８】
第１、第２、第３、第４、第５のレンズ素子３〜７、および光学フィルタ９のそれぞれは、物体側に向いた物体側の面３１、４１、５１、６１、７１、９１と、像側に向いた像側の面３２、４２、５２、６２、７２、９２と、を有する。
撮像レンズ１０に入射する光は、順に、開口絞り２、第１のレンズ素子３の物体側の面３１と像側の面３２、第２のレンズ素子４の物体側の面４１と像側の面４２、第３のレンズ素子５の物体側の面５１と像側の面５２、第４のレンズ素子６の物体側の面６１と像側の面６２、第５のレンズ素子７の物体側の面７１と像側の面７２、光学フィルタ９の物体側の面９１と像側の面９２を通って進み、像面１００に像を形成する。物体側の面３１、４１、５１、６１、７１および像側の面３２、４２、５２、６２、７２のそれぞれは、非球面であり、光軸（Ｉ）と一致する中心点を有する。
【００２９】
レンズ素子３〜７のそれぞれは、屈折力を有し、そして本実施形態では、軽量とするためにプラスチック材料で構成されている。しかしながら、他の実施形態では、レンズ素子３〜７のうちの少なくとも１つを他の材料で構成できる。
【００３０】
図６に示す第１の実施形態では、第１のレンズ素子３は、正の屈折力を有する。第１のレンズ素子３の物体側の面３１は、光軸（Ｉ）近傍に凸部３１１を有するとともに、該第１のレンズ素子３の周縁部近傍に凸部３１２を有する凸面である。第１のレンズ素子３の像側の面３２は、光軸（Ｉ）近傍に凸部３２１を有するとともに、該第１のレンズ素子３の周縁部近傍に凸部３２２を有する凸面である。
【００３１】
第２のレンズ素子４は、負の屈折力を有する。第２のレンズ素子４の物体側の面４１は、光軸（Ｉ）近傍に凹部４１１を有するとともに、該第２のレンズ素子４の周縁部近傍に凹部４１２を有する凹面である。第２のレンズ素子４の像側の面４２は、光軸（Ｉ）近傍に凹部４２１を有するとともに、該第２のレンズ素子４の周縁部近傍に凹部４２２を有する凹面である。
【００３２】
第３のレンズ素子５は、正の屈折力を有する。第３のレンズ素子５の物体側の面５１は、光軸（Ｉ）近傍に凹部５１１を有するとともに、該第３のレンズ素子５の周縁部近傍に凹部５１２を有する凹面である。第３のレンズ素子５の像側の面５２は、光軸（Ｉ）近傍に凸部５２１を有するとともに、該第３のレンズ素子５の周縁部近傍に凸部５２２を有する凸面である。
【００３３】
第４のレンズ素子６は、負の屈折力を有する。第４のレンズ素子６の物体側の面６１は、光軸（Ｉ）近傍に凸部６１１を有するとともに、該第４のレンズ素子６の周縁部近傍に凹部６１２を有する。第４のレンズ素子６の像側の面６２は、光軸（Ｉ）近傍に凹部６２１を有するとともに、該第４のレンズ素子６の周縁部近傍に凸部６２２を有する。
【００３４】
第５のレンズ素子７は、負の屈折力を有する。第５のレンズ素子７の物体側の面７１は、光軸（Ｉ）近傍に凸部７１１を有するとともに、該第５のレンズ素子７の周縁部近傍に凸部７１２を有する凸面である。第５のレンズ素子７の像側の面７２は、光軸（Ｉ）近傍に凹部７２１を有するとともに、該第５のレンズ素子７の周縁部近傍に凸部７２２を有する。
【００３５】
第１の実施形態では、撮像レンズ１０は、上記のレンズ素子３〜７の他には、屈折力を有するレンズ素子を備えていない。
【００３６】
第１の実施形態の面３１〜７１および９１、３２〜７２および９２に対応するいくつかの光学データの値を示す表を、図７に示している。撮像レンズ１０は、全系の有効焦点距離（ＥＦＬ）が３．６４５ｍｍ、半視野（ＨＦＯＶ）が３８．０６８°、Ｆナンバーが２．２、系の長さ（ＴＴＬ）が４．６３９ｍｍ、像高が２．８５６ｍｍである。ＴＴＬは、第１のレンズ素子３の物体側の面３１と像面１００との間の光軸（Ｉ）における距離を指す。
【００３７】
本実施形態では、物体側の面３１〜７１および像側の面３２〜７２のそれぞれは非球面であって、次の関係を満たしている。
2016148838.tif 000003
ここで、
Ｒは、非球面の曲率半径を表す。
Ｚは、光軸（Ｉ）から距離Ｙにある非球面上の任意の点と、非球面の光軸（Ｉ）上の頂点における接平面と、の間の垂直距離として定義される非球面の深さを表す。
Ｙは、非球面上の任意の点と光軸（Ｉ）との間の垂直距離を表す。
Ｋは、円錐定数を表す。
ａ２ｉは、２ｉ次の非球面係数を表す。
【００３８】
第１の実施形態に対応する上記の関係（１）のいくつかの非球面係数の値を示す表を、図８に示している。物体側の面３１〜７１および像側の面３２〜７２の各々の非球面係数を、図８において３１〜７１および３２〜７２の番号を付した列にそれぞれ示している。
【００３９】
第１の実施形態に対応するレンズパラメータのいくつかの間の関係を、図４６および４７の第１の実施形態に対応する列に示している。なお、いくつかの用語は次のように定義される。
Ｔ１は、光軸（Ｉ）における第１のレンズ素子３の厚さを表す。
Ｔ２は、光軸（Ｉ）における第２のレンズ素子４の厚さを表す。
Ｔ３は、光軸（Ｉ）における第３のレンズ素子５の厚さを表す。
Ｔ４は、光軸（Ｉ）における第４のレンズ素子６の厚さを表す。
Ｔ５は、光軸（Ｉ）における第５のレンズ素子７の厚さを表す。
Ｇ１２は、第１のレンズ素子３と第２のレンズ素子４との間の光軸（Ｉ）における空隙長を表す。
Ｇ２３は、第２のレンズ素子４と第３のレンズ素子５との間の光軸（Ｉ）における空隙長を表す。
Ｇ３４は、第３のレンズ素子５と第４のレンズ素子６との間の光軸（Ｉ）における空隙長を表す。
Ｇ４５は、第４のレンズ素子６と第５のレンズ素子７との間の光軸（Ｉ）における空隙長を表す。
Ｇａａは、第１のレンズ素子３、第２のレンズ素子４、第３のレンズ素子５、第４のレンズ素子６、第５のレンズ素子７の間の光軸（Ｉ）における４つの空隙長の和、すなわち、Ｇ１２、Ｇ２３、Ｇ３４、Ｇ４５の和を表す。
ＡＬＴは、光軸（Ｉ）におけるレンズ素子３〜７の厚さの和、すなわち、Ｔ１、Ｔ２、Ｔ３、Ｔ４、Ｔ５の和を表す。
ＢＦＬは、第５のレンズ素子７の像側の面７２と像面１００との間の光軸（Ｉ）における距離を表す。
【００４０】
さらに、いくつかの参照される用語は、本明細書では以下のように定義される。
Ｇ５Ｆは、第５のレンズ素子７と光学フィルタ９との間の光軸（Ｉ）における空隙長を表す。
ＴＦは、光軸（Ｉ）における光学フィルタ９の厚さを表す。
ＧＦＩは、光学フィルタ９と像面１００との間の光軸（Ｉ）における空隙長を表す。
ｆ１は、第１のレンズ素子３の焦点距離を表す。
ｆ２は、第２のレンズ素子４の焦点距離を表す。
ｆ３は、第３のレンズ素子５の焦点距離を表す。
ｆ４は、第４のレンズ素子６の焦点距離を表す。
ｆ５は、第５のレンズ素子７の焦点距離を表す。
ｎ１は、第１のレンズ素子３の屈折率を表す。
ｎ２は、第２のレンズ素子４の屈折率を表す。
ｎ３は、第３のレンズ素子５の屈折率を表す。
ｎ４は、第４のレンズ素子６の屈折率を表す。
ｎ５は、第５のレンズ素子７の屈折率を表す。
ν１は、第１のレンズ素子３のアッベ数である。
ν２は、第２のレンズ素子４のアッベ数である。
ν３は、第３のレンズ素子５のアッベ数である。
ν４は、第４のレンズ素子６のアッベ数である。
ν５は、第５のレンズ素子７のアッベ数である。
【００４１】
図９（Ａ）〜９（Ｄ）は、第１の実施形態の縦球面収差、サジタル非点収差、タンジェンシャル非点収差、歪曲収差にそれぞれ対応するシミュレーション結果を示している。このシミュレーション結果の各々では、４７０ｎｍ、５５５ｎｍ、６５０ｎｍの波長にそれぞれ対応する曲線を示している。
【００４２】
図９（Ａ）から分かるように、縦球面収差に対応する曲線の各々では、（縦軸で示す）各視野での焦点距離が±０．０３ｍｍの範囲内にあるので、第１の実施形態では、各波長で比較的低い球面収差を実現可能である。また、４７０ｎｍ、５５５ｎｍ、６５０ｎｍの各波長の曲線が相互に近接しているので、第１の実施形態では、色収差が比較的低い。
【００４３】
図９（Ｂ）および９（Ｃ）から分かるように、これらの曲線の各々は、±０．０５ｍｍの焦点距離の範囲内にあるので、第１の実施形態では、光学収差が比較的低い。
【００４４】
さらに、図９（Ｄ）に示すように、歪曲収差に対応する曲線の各々は、±０．５％の範囲内にあるので、第１の実施形態は、多くの光学系の撮像品質要求を満たすことが可能である。
【００４５】
上記のことから、第１の実施形態の撮像レンズ１０は、系の長さを４．６３９ｍｍにまで縮小したとしても、依然として比較的良好な光学性能を実現可能である。よって、第１の実施形態の撮像レンズ１０は、比較的良好な光学性能を維持しつつ、短縮された系の長さおよび拡大された撮像角によって、薄型化された製品設計に適合し得る。
【００４６】
図１０は、本開示に係る撮像レンズ１０の第２の実施形態を示しており、これは第１の実施形態のものと同様の構成を有する。本開示の撮像レンズ１０の第１と第２の実施形態の違いは、レンズ素子３〜７の光学データ、非球面係数、レンズパラメータの一部にある。
また、第２の実施形態では、第２のレンズ素子４の物体側の面４１は、光軸（Ｉ）近傍に凹部４１１を有するとともに、該第２のレンズ素子４の周縁部近傍に凸部４１３を有する。第５のレンズ素子７の像側の面７２は、光軸（Ｉ）近傍に凹部７２１を有するとともに、該第５のレンズ素子７の周縁部近傍に凹部７２３を有する凹面である。図１０では、明確にするため、第１の実施形態のものと同一の凹部および凸部の参照符号は省略している。
【００４７】
第２の実施形態の面３１〜７１および９１、３２〜７２および９２に対応するいくつかの光学データの値を示す表を、図１１に示している。撮像レンズ１０は、全系の焦点距離が３．６２２ｍｍ、ＨＦＯＶが３７．９９６°、Ｆナンバーが２．２、系の長さが４．５８９ｍｍ、像高が２．８５６ｍｍである。
【００４８】
第２の実施形態に対応する上記の関係（１）のいくつかの非球面係数の値を示す表を、図１２に示している。
【００４９】
第２の実施形態に対応する上記レンズパラメータのいくつかの間の関係を、図４６および４７の第２の実施形態に対応する列に示している。
【００５０】
図１３（Ａ）〜１３（Ｄ）は、第２の実施形態の縦球面収差、サジタル非点収差、タンジェンシャル非点収差、歪曲収差にそれぞれ対応するシミュレーション結果を示している。図１３（Ａ）〜１３（Ｄ）から分かるように、第２の実施形態では、比較的良好な光学性能を実現可能である。
【００５１】
第１の実施形態と比較して、第２の実施形態は、より短縮されたＴＴＬを有し、また、製造が相対的に容易であるため、より高い歩留まりを有し得る。
【００５２】
図１４は、本開示に係る撮像レンズ１０の第３の実施形態を示しており、これは第１の実施形態のものと同様の構成を有する。本開示の撮像レンズ１０の第１と第３の実施形態の違いは、レンズ素子３〜７の光学データ、非球面係数、レンズパラメータの一部にある。
また、第３の実施形態では、第５のレンズ素子７の物体側の面７１は、光軸（Ｉ）近傍に凹部７１３を有するとともに、該第５のレンズ素子７の周縁部近傍に凸部７１２を有する。第５のレンズ素子７の像側の面７２は、光軸（Ｉ）近傍に凹部７２１を有するとともに、該第５のレンズ素子７の周縁部近傍に凹部７２３を有する凹面である。図１４では、明確にするため、第１の実施形態のものと同一の凹部および凸部の参照符号は省略している。
【００５３】
第３の実施形態の面３１〜７１および９１、３２〜７２および９２に対応するいくつかの光学データの値を示す表を、図１５に示している。撮像レンズ１０は、全系の焦点距離が３．８０８ｍｍ、ＨＦＯＶが３６．７６１°、Ｆナンバーが２．２、系の長さが４．７５８ｍｍ、像高が２．８５６ｍｍである。
【００５４】
第３の実施形態に対応する上記の関係（１）のいくつかの非球面係数の値を示す表を、図１６に示している。
【００５５】
第３の実施形態に対応する上記レンズパラメータのいくつかの間の関係を、図４６および４７の第３の実施形態に対応する列に示している。
【００５６】
図１７（Ａ）〜１７（Ｄ）は、第３の実施形態の縦球面収差、サジタル非点収差、タンジェンシャル非点収差、歪曲収差にそれぞれ対応するシミュレーション結果を示している。図１７（Ａ）〜１７（Ｄ）から分かるように、第３の実施形態では、比較的良好な光学性能を実現可能である。
【００５７】
第１の実施形態と比較して、第３の実施形態は、製造が相対的に容易であるため、より高い歩留まりを有し得る。
【００５８】
図１８は、本開示に係る撮像レンズ１０の第４の実施形態を示しており、これは第１の実施形態のものと同様の構成を有する。本開示の撮像レンズ１０の第１と第４の実施形態の違いは、レンズ素子３〜７の光学データ、非球面係数、レンズパラメータの一部にある。
また、第４の実施形態では、第５のレンズ素子７の物体側の面７１は、光軸（Ｉ）近傍に凹部７１３を有するとともに、該第５のレンズ素子７の周縁部近傍に凸部７１２を有する。第５のレンズ素子７の像側の面７２は、光軸（Ｉ）近傍に凸部７２４を有するとともに、該第５のレンズ素子７の周縁部近傍に凹部７２３を有する。図１８では、明確にするため、第１の実施形態のものと同一の凹部および凸部の参照符号は省略している。
【００５９】
第４の実施形態の面３１〜７１および９１、３２〜７２および９２に対応するいくつかの光学データの値を示す表を、図１９に示している。撮像レンズ１０は、全系の焦点距離が３．６６７ｍｍ、ＨＦＯＶが３７．８２４°、Ｆナンバーが２．２、系の長さが４．５３６ｍｍ、像高が２．８５６ｍｍである。
【００６０】
第４の実施形態に対応する上記の関係（１）のいくつかの非球面係数の値を示す表を、図２０に示している。
【００６１】
第４の実施形態に対応する上記レンズパラメータのいくつかの間の関係を、図４６および４７の第４の実施形態に対応する列に示している。
【００６２】
図２１（Ａ）〜２１（Ｄ）は、第４の実施形態の縦球面収差、サジタル非点収差、タンジェンシャル非点収差、歪曲収差にそれぞれ対応するシミュレーション結果を示している。図２１（Ａ）〜２１（Ｄ）から分かるように、第４の実施形態では、比較的良好な光学性能を実現可能である。
【００６３】
第１の実施形態と比較して、第４の実施形態は、より短縮されたＴＴＬを有し、また、製造が相対的に容易であるため、より高い歩留まりを有し得る。
【００６４】
図２２は、本開示に係る撮像レンズ１０の第５の実施形態を示しており、これは第１の実施形態のものと同様の構成を有する。本開示の撮像レンズ１０の第１と第５の実施形態の違いは、レンズ素子３〜７の光学データ、非球面係数、レンズパラメータの一部にある。
また、第５の実施形態では、第５のレンズ素子７の物体側の面７１は、光軸（Ｉ）近傍に凹部７１３を有するとともに、該第５のレンズ素子７の周縁部近傍に凸部７１２を有する。図２２では、明確にするため、第１の実施形態のものと同一の凹部および凸部の参照符号は省略している。
【００６５】
第５の実施形態の面３１〜７１および９１、３２〜７２および９２に対応するいくつかの光学データの値を示す表を、図２３に示している。撮像レンズ１０は、全系の焦点距離が３．５９６ｍｍ、ＨＦＯＶが３８．４３６°、Ｆナンバーが２．２、系の長さが４．４７８ｍｍ、像高が２．８５６ｍｍである。
【００６６】
第５の実施形態に対応する上記の関係（１）のいくつかの非球面係数の値を示す表を、図２４に示している。
【００６７】
第５の実施形態に対応する上記レンズパラメータのいくつかの間の関係を、図４６および４７の第５の実施形態に対応する列に示している。
【００６８】
図２５（Ａ）〜２５（Ｄ）は、第５の実施形態の縦球面収差、サジタル非点収差、タンジェンシャル非点収差、歪曲収差にそれぞれ対応するシミュレーション結果を示している。図２５（Ａ）〜２５（Ｄ）から分かるように、第５の実施形態では、比較的良好な光学性能を実現可能である。
【００６９】
第１の実施形態と比較して、第５の実施形態は、より広いＨＦＯＶ、および、より短縮されたＴＴＬを有し、また、製造が相対的に容易であるため、より高い歩留まりを有し得る。
【００７０】
図２６は、本開示に係る撮像レンズ１０の第６の実施形態を示しており、これは第１の実施形態のものと同様の構成を有する。本開示の撮像レンズ１０の第１と第６の実施形態の違いは、レンズ素子３〜７の光学データ、非球面係数、レンズパラメータの一部にある。
また、第６の実施形態では、第５のレンズ素子７の物体側の面７１は、光軸（Ｉ）近傍に凹部７１３を有するとともに、該第５のレンズ素子７の周縁部近傍に凸部７１２を有する。図２６では、明確にするため、第１の実施形態のものと同一の凹部および凸部の参照符号は省略している。
【００７１】
第６の実施形態の面３１〜７１および９１、３２〜７２および９２に対応するいくつかの光学データの値を示す表を、図２７に示している。撮像レンズ１０は、全系の焦点距離が３．６２２ｍｍ、ＨＦＯＶが３８．２１９°、Ｆナンバーが２．２、系の長さが４．５１５ｍｍ、像高が２．８５６ｍｍである。
【００７２】
第６の実施形態に対応する上記の関係（１）のいくつかの非球面係数の値を示す表を、図２８に示している。
【００７３】
第６の実施形態に対応する上記レンズパラメータのいくつかの間の関係を、図４６および４７の第６の実施形態に対応する列に示している。
【００７４】
図２９（Ａ）〜２９（Ｄ）は、第６の実施形態の縦球面収差、サジタル非点収差、タンジェンシャル非点収差、歪曲収差にそれぞれ対応するシミュレーション結果を示している。図２９（Ａ）〜２９（Ｄ）から分かるように、第６の実施形態では、比較的良好な光学性能を実現可能である。
【００７５】
第１の実施形態と比較して、第６の実施形態は、より広いＨＦＯＶ、および、より短縮されたＴＴＬを有し、また、製造が相対的に容易であるため、より高い歩留まりを有し得る。
【００７６】
図３０は、本開示に係る撮像レンズ１０の第７の実施形態を示しており、これは第１の実施形態のものと同様の構成を有する。本開示の撮像レンズ１０の第１と第７の実施形態の違いは、レンズ素子３〜７の光学データ、非球面係数、レンズパラメータの一部にある。
また、第７の実施形態では、第５のレンズ素子７の物体側の面７１は、光軸（Ｉ）近傍に凹部７１３を有するとともに、該第５のレンズ素子７の周縁部近傍に凸部７１２を有する。第５のレンズ素子７の像側の面７２は、光軸（Ｉ）近傍に凹部７２１を有するとともに、該第５のレンズ素子７の周縁部近傍に凹部７２３を有する凹面である。図３０では、明確にするため、第１の実施形態のものと同一の凹部および凸部の参照符号は省略している。
【００７７】
第７の実施形態の面３１〜７１および９１、３２〜７２および９２に対応するいくつかの光学データの値を示す表を、図３１に示している。撮像レンズ１０は、全系の焦点距離が３．５１５ｍｍ、ＨＦＯＶが３８．９０４°、Ｆナンバーが２．２、系の長さが４．５７６ｍｍ、像高が２．８５６ｍｍである。
【００７８】
第７の実施形態に対応する上記の関係（１）のいくつかの非球面係数の値を示す表を、図３２に示している。
【００７９】
第７の実施形態に対応する上記レンズパラメータのいくつかの間の関係を、図４６および４７の第７の実施形態に対応する列に示している。
【００８０】
図３３（Ａ）〜３３（Ｄ）は、第７の実施形態の縦球面収差、サジタル非点収差、タンジェンシャル非点収差、歪曲収差にそれぞれ対応するシミュレーション結果を示している。図３３（Ａ）〜３３（Ｄ）から分かるように、第７の実施形態では、比較的良好な光学性能を実現可能である。
【００８１】
第１の実施形態と比較して、第７の実施形態は、より短縮されたＴＴＬ、および、より広いＨＦＯＶを有し、また、製造が相対的に容易であるため、より高い歩留まりを有し得る。
【００８２】
図３４は、本開示に係る撮像レンズ１０の第８の実施形態を示しており、これは第１の実施形態のものと同様の構成を有する。本開示の撮像レンズ１０の第１と第８の実施形態の違いは、レンズ素子３〜７の光学データ、非球面係数、レンズパラメータの一部にある。図３４では、明確にするため、第１の実施形態のものと同一の凹部および凸部の参照符号は省略している。
【００８３】
第８の実施形態の面３１〜７１および９１、３２〜７２および９２に対応するいくつかの光学データの値を示す表を、図３５に示している。撮像レンズ１０は、全系の焦点距離が３．４８６ｍｍ、ＨＦＯＶが３９．２９５°、Ｆナンバーが２．２、系の長さが４．４１８ｍｍ、像高が２．８５６ｍｍである。
【００８４】
第８の実施形態に対応する上記の関係（１）のいくつかの非球面係数の値を示す表を、図３６に示している。
【００８５】
第８の実施形態に対応する上記レンズパラメータのいくつかの間の関係を、図４６および４７の第８の実施形態に対応する列に示している。
【００８６】
図３７（Ａ）〜３７（Ｄ）は、第８の実施形態の縦球面収差、サジタル非点収差、タンジェンシャル非点収差、歪曲収差にそれぞれ対応するシミュレーション結果を示している。図３７（Ａ）〜３７（Ｄ）から分かるように、第８の実施形態では、比較的良好な光学性能を実現可能である。
【００８７】
第１の実施形態と比較して、第８の実施形態は、より短縮されたＴＴＬ、および、より広いＨＦＯＶを有し、また、製造が相対的に容易であるため、より高い歩留まりを有し得る。
【００８８】
図３８は、本開示に係る撮像レンズ１０の第９の実施形態を示しており、これは第１の実施形態のものと同様の構成を有する。本開示の撮像レンズ１０の第１と第９の実施形態の違いは、レンズ素子３〜７の光学データ、非球面係数、レンズパラメータの一部にある。
また、第９の実施形態では、第５のレンズ素子７の物体側の面７１は、光軸（Ｉ）近傍に凹部７１３を有するとともに、該第５のレンズ素子７の周縁部近傍に凸部７１２を有する。第５のレンズ素子７の像側の面７２は、光軸（Ｉ）近傍に凹部７２１を有するとともに、該第５のレンズ素子７の周縁部近傍に凹部７２３を有する凹面である。図３８では、明確にするため、第１の実施形態のものと同一の凹部および凸部の参照符号は省略している。
【００８９】
第９の実施形態の面３１〜７１および９１、３２〜７２および９２に対応するいくつかの光学データの値を示す表を、図３９に示している。撮像レンズ１０は、全系の焦点距離が３．６４３ｍｍ、ＨＦＯＶが３８．０５３°、Ｆナンバーが２．２、系の長さが４．５９６ｍｍ、像高が２．８５６ｍｍである。
【００９０】
第９の実施形態に対応する上記の関係（１）のいくつかの非球面係数の値を示す表を、図４０に示している。
【００９１】
第９の実施形態に対応する上記レンズパラメータのいくつかの間の関係を、図４６および４７の第９の実施形態に対応する列に示している。
【００９２】
図４１（Ａ）〜４１（Ｄ）は、第９の実施形態の縦球面収差、サジタル非点収差、タンジェンシャル非点収差、歪曲収差にそれぞれ対応するシミュレーション結果を示している。図４１（Ａ）〜４１（Ｄ）から分かるように、第９の実施形態では、比較的良好な光学性能を実現可能である。
【００９３】
第１の実施形態と比較して、第９の実施形態は、より短縮されたＴＴＬを有し、また、製造が相対的に容易であるため、より高い歩留まりを有し得る。
【００９４】
図４２は、本開示に係る撮像レンズ１０の第１０の実施形態を示しており、これは第１の実施形態のものと同様の構成を有する。本開示の撮像レンズ１０の第１と第１０の実施形態の違いは、レンズ素子３〜７の光学データ、非球面係数、レンズパラメータの一部にある。
また、第１０の実施形態では、第５のレンズ素子７の物体側の面７１は、光軸（Ｉ）近傍に凹部７１３を有するとともに、該第５のレンズ素子７の周縁部近傍に凸部７１２を有する。第５のレンズ素子７の像側の面７２は、光軸（Ｉ）近傍に凹部７２１を有するとともに、該第５のレンズ素子７の周縁部近傍に凹部７２３を有する凹面である。図４２では、明確にするため、第１の実施形態のものと同一の凹部および凸部の参照符号は省略している。
【００９５】
第１０の実施形態の面３１〜７１および９１、３２〜７２および９２に対応するいくつかの光学データの値を示す表を、図４３に示している。撮像レンズ１０は、全系の焦点距離が３．６２２ｍｍ、ＨＦＯＶが３８．２１６°、Ｆナンバーが２．２、系の長さが４．５９４ｍｍ、像高が２．８５６ｍｍである。
【００９６】
第１０の実施形態に対応する上記の関係（１）のいくつかの非球面係数の値を示す表を、図４４に示している。
【００９７】
第１０の実施形態に対応する上記レンズパラメータのいくつかの間の関係を、図４６および４７の第１０の実施形態に対応する列に示している。
【００９８】
図４５（Ａ）〜４５（Ｄ）は、第１０の実施形態の縦球面収差、サジタル非点収差、タンジェンシャル非点収差、歪曲収差にそれぞれ対応するシミュレーション結果を示している。図４５（Ａ）〜４５（Ｄ）から分かるように、第１０の実施形態では、比較的良好な光学性能を実現可能である。
【００９９】
第１の実施形態と比較して、第１０の実施形態は、より広いＨＦＯＶ、および、より短縮されたＴＴＬを有し、また、製造が相対的に容易であるため、より高い歩留まりを有し得る。
【０１００】
比較のために、１０通りの実施形態に対応する上記のレンズパラメータのいくつかの間の上記関係を示す表を、図４６および図４７に示している。本開示に係る撮像レンズ１０のレンズパラメータの各々が以下の光学的関係を満たしている場合には、系の長さを縮小したとしても、依然として光学性能は比較的良好である。
【０１０１】
（１）撮像レンズ１０の系の長さを短縮するために、レンズ素子の厚さおよびレンズ素子間の空隙長を適切に縮小できる。一方、そのような縮小によって、撮像レンズ１０の組立ておよび撮像品質の維持が難しくなり得ることが考慮されなければならない。
上記考察に基づいて、撮影レンズ１０は、（Ｔ２＋Ｔ４）／Ｇ４５≦２．９、ＡＬＴ／Ｇ２３≧４．２、Ｇａａ／Ｔ４≦４．５、（Ｔ１＋Ｔ３）／Ｇ２３≧２．４、ＢＦＬ／Ｔ３≦１．４、ＡＬＴ／Ｔ１≦４．０、Ｔ３／（Ｇ１２＋Ｇ４５）≧１．６５、Ｔ１／Ｔ２≧２．６、Ｔ３／Ｔ５≧１．３、（Ｇ２３＋Ｇ４５）／Ｔ３≦１．６、ＡＬＴ／Ｔ５≧６．０、かつ／または（Ｇ２３＋Ｇ３４）／Ｔ２≧２．２を満たしている場合に、より良い構成を有し得る。応用によっては、撮像レンズ１０は、さらに、１．９≦（Ｔ２＋Ｔ４）／Ｇ４５≦２．９、４．２≦ＡＬＴ／Ｇ２３≦５．５、２．０≦Ｇａａ／Ｔ４≦３．０、２．４≦（Ｔ１＋Ｔ３）／Ｇ２３≦３．５、１．０≦ＢＦＬ／Ｔ３≦１．３、３．２≦ＡＬＴ／Ｔ１≦４．０、１．６５≦Ｔ３／（Ｇ１２＋Ｇ４５）≦３．９、２．６≦Ｔ１／Ｔ２≦３．５、１．８≦Ｔ３／Ｔ５≦２．６、０．７≦（Ｇ２３＋Ｇ４５）／Ｔ３≦１．３、６．０≦ＡＬＴ／Ｔ５≦８．０、かつ／または２．２≦（Ｇ２３＋Ｇ３４）／Ｔ２≦３．４を満たし得る。
【０１０２】
（２）系の長さが短縮された撮像レンズ１０の設計では、ＥＦＬを縮小することが、視野を拡大するための一助となり得る。よって、ＥＦＬは小さくされる傾向にある。一部の実施形態では、撮像レンズ１０は、ＥＦＬ／Ｔ１≦５．７を満たしている。一部の実施形態では、撮像レンズ１０は、さらに、４．４≦ＥＦＬ／Ｔ１≦５．７を満たし得る。
【０１０３】
（３）物体側の面７１の表面形状が、第５のレンズ素子７の周縁部近傍の凸部７１２と協働する凹部７１３を光軸（Ｉ）近傍に有する場合、撮像レンズ１０は、像収差を補正するための比較的良好な能力を有し得る。
【０１０４】
光学系の設計は一般に予測不可能性に関係しているが、上記の関係を満たすことにより、撮像レンズ１０の系の長さを縮小すること、Ｆナンバーを小さくすること、視野を広くすること、撮像品質を向上させること、または組立歩留まりを相対的に高くすること、が可能となり得ることで、従来技術の少なくとも１つの欠点が軽減される。
【０１０５】
本開示に係る撮像レンズ１０の作用および効果は、以下のように要約される。
１．集光のために効果的な凸部３２１が、物体側の面３１に配置された開口絞り２と協働することで、視野は拡大される。
２．凹部４２２および凹部５１２は、像収差を補正するための一助となり得る。さらに、第４のレンズ素子６の負の屈折力、凸部６１１、凸部７１２を有する設計によって、像面１００に達する光の角度を補正でき、また、表面形状のそのような協働によって、撮像品質を確保できる。
３．本開示の上記の１０通りの実施形態のそれぞれに関して、縦球面収差、非点収差、歪曲収差は、適用規格に適合している。青色光線、緑色光線、赤色光線の波長にそれぞれ対応する軸外光線は、結像点の周辺に収束する。撮像レンズ１０が、球面収差、非点収差、歪曲収差に関して良好な性能を有するように、様々に異なるＨＦＯＶ角における軸外光線の結像点のずれが十分に制御されていることは、それらの曲線の各々の偏差範囲から明らかである。また、赤色光線、緑色光線、青色光線をそれぞれ表す異なる波長の曲線が相互に近接しているので、撮像レンズ１０は、色収差が比較的低い。結果的に、レンズ素子３〜７の上記の設計によって、良好な撮像品質を実現できる。
４．経済的メリットを伴う薄型化された関連製品の開発を促すために、前述の１０通りの実施形態によって、本開示の系の長さを４．７６ｍｍ未満にまで縮小できることが明らかである。
【０１０６】
撮像レンズ１０の第１の適用例を図４８に示しており、この例では、撮像レンズ１０は、電子機器１（携帯電話機などであるが、これに限定されない）のハウジング１１内に配置されて、該電子機器１の撮像モジュール１２の一部をなしている。
【０１０７】
撮像モジュール１２は、撮像レンズ１０が配置される鏡筒２１と、鏡筒２１が配置されるホルダユニット１２０と、像面１００（図６を参照）に配置される撮像センサ１３０と、を有している。
【０１０８】
ホルダユニット１２０は、鏡筒２１が配置される第１のホルダ部１２１と、第１のホルダ部１２１と撮像センサ１３０との間に介在させる部分を有する第２のホルダ部１２２と、を含んでいる。鏡筒２１、およびホルダユニット１２０の第１のホルダ部１２１は、撮像レンズ１０の光軸（Ｉ）と一致する軸（ＩＩ）に沿って延在する。
【０１０９】
撮像レンズ１０の第２の適用例を図４９に示している。第１と第２の適用例の違いは、第２の適用例では、ホルダユニット１２０が，ボイスコイルモータ（ＶＣＭ）として構成されていることであり、第１のホルダ部１２１は、鏡筒２１が配置される内側部分１２３と、内側部分１２３を取り囲む外側部分１２４と、内側部分１２３と外側部分１２４との間に介在させるコイル１２５と、コイル１２５の外側と外側部分１２４の内側との間に配置される磁性部品１２６と、を含んでいる。
【０１１０】
内側部分１２３と鏡筒２１は、その中の撮像レンズ１０と共に、撮像レンズ１０の光軸（Ｉ）と一致する軸（ＩＩＩ）に沿って、撮像センサ１３０に対して動くことができる。撮像レンズ１０の光学フィルタ９は、外側部分１２４に当接するように配置された第２のホルダ部１２２に配置される。第２の適用例における電子機器１の他の構成要素の構成および配置は、第１の適用例のものと同じであり、従って、簡潔にするため、以下では説明しない。
【０１１１】
本開示の撮像レンズ１０によって、適用例のそれぞれにおける電子機器１は、良好な光学性能および撮像性能を有しつつ、比較的縮小された全厚となるように構成でき、これによって、材料のコストが削減され、また、製品の小型化要求が満たされる。
【０１１２】
本開示は、典型例となる実施形態であると考えられるものに関して記載しているが、当然のことながら、本開示は、開示された実施形態に限定されるものではなく、最も広い解釈の趣旨および範囲内に含まれる種々の構成を包括し、かかる変形および均等な構成のすべてを網羅するものとする。
【図１】
2016148838.tif 000004
【図２】
2016148838.tif 000005
【図３】
2016148838.tif 000006
【図４】
2016148838.tif 000007
【図５】
2016148838.tif 000008
【図６】
2016148838.tif 000009
【図７】
2016148838.tif 000010
【図８】
2016148838.tif 000011
【図９】
2016148838.tif 000012
【図１０】
2016148838.tif 000013
【図１１】
2016148838.tif 000014
【図１２】
2016148838.tif 000015
【図１３】
2016148838.tif 000016
【図１４】
2016148838.tif 000017
【図１５】
2016148838.tif 000018
【図１６】
2016148838.tif 000019
【図１７】
2016148838.tif 000020
【図１８】
2016148838.tif 000021
【図１９】
2016148838.tif 000022
【図２０】
2016148838.tif 000023
【図２１】
2016148838.tif 000024
【図２２】
2016148838.tif 000025
【図２３】
2016148838.tif 000026
【図２４】
2016148838.tif 000027
【図２５】
2016148838.tif 000028
【図２６】
2016148838.tif 000029
【図２７】
2016148838.tif 000030
【図２８】
2016148838.tif 000031
【図２９】
2016148838.tif 000032
【図３０】
2016148838.tif 000033
【図３１】
2016148838.tif 000034
【図３２】
2016148838.tif 000035
【図３３】
2016148838.tif 000036
【図３４】
2016148838.tif 000037
【図３５】
2016148838.tif 000038
【図３６】
2016148838.tif 000039
【図３７】
2016148838.tif 000040
【図３８】
2016148838.tif 000041
【図３９】
2016148838.tif 000042
【図４０】
2016148838.tif 000043
【図４１】
2016148838.tif 000044
【図４２】
2016148838.tif 000045
【図４３】
2016148838.tif 000046
【図４４】
2016148838.tif 000047
【図４５】
2016148838.tif 000048
【図４６】
2016148838.tif 000049
【図４７】
2016148838.tif 000050
【図４８】
2016148838.tif 000051
【図４９】
2016148838.tif 000052